(57)【特許請求の範囲】
【請求項１】
ユーザの住宅に設置された冷蔵庫の庫内の温度を第一の設定温度から変更する制御装置であって、
前記冷蔵庫から前記第一の設定温度を受信する設定温度情報受信部と、
前記ユーザが宅外で購入した物品の保存温度から、前記物品を前記冷蔵庫で保存する必要性を示す予冷要求信号を受信する予冷要求受信部と、
前記ユーザの位置を推定可能な位置推定情報を受信する位置推定受信部と、
前記予冷要求信号により、前記物品を保存する必要があると判定され、かつ、前記位置推定情報により、前記ユーザの推定位置が前記冷蔵庫から限られた範囲内であると判定された場合に、前記庫内の設定温度を前記第一の設定温度よりも低い第二の設定温度に変更する制御命令を生成する制御命令生成部と、
前記制御命令を前記冷蔵庫に送信する制御命令送信部と、
前記ユーザの住宅に課せられる時間帯別電気料金情報を記憶する記憶部と、
前記位置推定情報から前記ユーザの帰宅時刻を計算する帰宅時刻推定部と、を備え、
前記制御命令生成部は、前記帰宅時刻に該当する時間帯の電気料金よりもその前の時間帯の電気料金が安い場合、前記帰宅時刻に該当する時間帯の開始時刻から、前記庫内の温度が前記第一の設定温度から前記第二の設定温度に変化するまでに必要な時間だけ遡った時刻に、前記庫内の設定温度を前記第二の設定温度に変更する前記制御命令を生成する、
制御装置。
【請求項２】
ユーザの住宅に設置された冷蔵庫の庫内の温度を第一の設定温度から変更する制御装置であって、
前記冷蔵庫から前記第一の設定温度を受信する設定温度情報受信部と、
前記ユーザが宅外で購入した物品の保存温度から、前記物品を前記冷蔵庫で保存する必要性を示す予冷要求信号を受信する予冷要求受信部と、
前記ユーザの位置を推定可能な位置推定情報を受信する位置推定受信部と、
前記予冷要求信号により、前記物品を保存する必要があると判定され、かつ、前記位置推定情報により、前記ユーザの推定位置が前記冷蔵庫から限られた範囲内であると判定された場合に、前記庫内の設定温度を前記第一の設定温度よりも低い第二の設定温度に変更する制御命令を生成する制御命令生成部と、
前記制御命令を前記冷蔵庫に送信する制御命令送信部と、
前記ユーザの住宅に課せられる電力消費の削減要請時間帯情報を受信する電力削減要請受信部と、
前記位置推定情報から前記ユーザの帰宅時刻を計算する帰宅時刻推定部と、を備え、
前記制御命令生成部は、前記帰宅時刻が前記削減要請時間帯情報が示す削減要請時間帯に含まれる場合、前記削減要請時間帯の開始時刻から、前記庫内の温度が前記第一の設定温度から前記第二の設定温度に変化するまでに必要な時間だけ遡った時刻に、前記庫内の設定温度を前記第二の設定温度に変更する前記制御命令を生成する、
制御装置。
【請求項３】
前記位置推定情報は、前記ユーザの住宅の出入口に設けられた施解錠手段によって検出された前記ユーザの解錠情報である請求項１または２に記載の制御装置。
【請求項４】
前記位置推定情報は、前記ユーザが所持する情報端末に搭載された位置検出手段によって検出された前記情報端末の位置を示す位置情報を前記位置推定受信部から得たものである請求項１または２に記載の制御装置。
【請求項５】
前記位置推定情報は、前記ユーザによって入力された情報であって、前記ユーザの現在位置を示す情報、または帰宅予定時刻を示す情報を前記位置推定受信部から得たものである請求項１または２に記載の制御装置。
【請求項６】
前記設定温度情報受信部は、前記冷蔵庫の保存温度の異なる複数の貯蔵室ごとに予め定められた前記第一の設定温度を貯蔵室数分受信し、
前記予冷要求受信部は、前記複数の貯蔵室のうち、前記物品を入庫する必要がある貯蔵室の予冷要求信号を受信して、
前記制御命令生成部は、前記物品を入庫する必要がある貯蔵室の設定温度を前記第一の設定温度よりも低い第二の設定温度に変更する制御命令を生成する請求項１から５のいずれか１項に記載の制御装置。
【請求項７】
前記冷蔵庫で計測された計測情報を受信する計測情報受信部をさらに備え、
前記制御命令生成部は、前記制御命令送信部が前記庫内の設定温度を前記第二の設定温度に変更する前記制御命令を前記冷蔵庫に送信した後、前記計測情報が前記庫内の設定温度を元に戻す条件に一致するかどうかを判定し、前記条件に一致した場合に、前記庫内の設定温度を前記第一の設定温度に戻す制御命令を生成し、
前記制御命令送信部は、前記庫内の設定温度を前記第一の設定温度に戻す前記制御命令を前記冷蔵庫に送信する請求項１から６のいずれか１項に記載の制御装置。
【請求項８】
前記計測情報は、前記冷蔵庫が開扉されたことを示す情報、および、前記庫内の温度情報の少なくともいずれかを含む請求項７に記載の制御装置。
【請求項９】
請求項１から８のいずれか１項に記載の制御装置に、庫内の第一の設定温度を送信する設定温度情報送信部と、
前記制御装置から前記庫内の温度を変更する制御命令を受信する制御命令受信部と、
前記庫内の温度を前記制御命令に含まれる前記庫内の温度に変更する冷却部と、
を備える冷蔵庫。
【請求項１０】
ユーザの住宅に設置された冷蔵庫の庫内の温度を第一の設定温度から変更する制御装置に、前記庫内の第一の設定温度を送信する設定温度情報送信部と、
前記制御装置から前記庫内の設定温度を前記第一の設定温度よりも低い第二の設定温度に変更する制御命令を受信する制御命令受信部と、
前記制御命令に従って、前記庫内の温度を前記第二の設定温度に変更する冷却部と、
前記冷蔵庫の庫内の温度を検知する温度検知部と、
を備え、
前記冷却部は、前記制御命令に従って庫内の温度を変更した後、前記温度検知部が、前記庫内の温度が前記第一の設定温度以上となってから、再び前記第一の設定温度以下になったことを検知した場合、前記庫内の温度を前記第一の設定温度に戻す冷蔵庫。
【請求項１１】
ユーザの住宅に設置された冷蔵庫の庫内の温度を第一の設定温度から変更する制御装置に、前記庫内の第一の設定温度を送信する設定温度情報送信部と、
前記制御装置から前記庫内の設定温度を前記第一の設定温度よりも低い第二の設定温度に変更する制御命令を受信する制御命令受信部と、
前記制御命令に従って、前記庫内の温度を前記第二の設定温度に変更する冷却部と、
前記冷蔵庫の庫内の温度を検知する温度検知部と、
を備え、
前記冷却部が前記制御命令に従って前記庫内の温度を変更した後に、前記温度検知部が、前記庫内の温度が前記第一の設定温度以上となってから、再び前記第一の設定温度以下になったことを検知したことを前記制御装置に通知する冷蔵庫。
【請求項１２】
ユーザの住宅に設置された冷蔵庫の庫内の温度を第一の設定温度から変更するコンピュータに、
前記冷蔵庫から前記第一の設定温度を受信し、
前記ユーザが宅外で購入した物品の保存温度から、前記物品を前記冷蔵庫で保存する必要性を示す予冷要求信号を受信し、
前記ユーザの位置を推定可能な位置推定情報を受信し、
前記予冷要求信号により、前記物品を保存する必要があると判定され、かつ、前記位置推定情報により、前記ユーザの推定位置が前記冷蔵庫から限られた範囲内であると判定された場合に、前記庫内の設定温度を前記第一の設定温度よりも低い第二の設定温度に変更する制御命令を生成して、
前記制御命令を前記冷蔵庫に送信し、
前記ユーザの住宅に課せられる時間帯別電気料金情報を記憶し、
前記位置推定情報から前記ユーザの帰宅時刻を計算する処理を実行させるプログラムであって、
前記処理において、前記帰宅時刻に該当する時間帯の電気料金よりもその前の時間帯の電気料金が安い場合、前記帰宅時刻に該当する時間帯の開始時刻から、前記庫内の温度が前記第一の設定温度から前記第二の設定温度に変化するまでに必要な時間だけ遡った時刻に、前記庫内の設定温度を前記第二の設定温度に変更する前記制御命令を生成する、
プログラム。
【請求項１３】
ユーザの住宅に設置された冷蔵庫の庫内の温度を第一の設定温度から変更するコンピュータに、
前記冷蔵庫から前記第一の設定温度を受信し、
前記ユーザが宅外で購入した物品の保存温度から、前記物品を前記冷蔵庫で保存する必要性を示す予冷要求信号を受信し、
前記ユーザの位置を推定可能な位置推定情報を受信し、
前記予冷要求信号により、前記物品を保存する必要があると判定され、かつ、前記位置推定情報により、前記ユーザの推定位置が前記冷蔵庫から限られた範囲内であると判定された場合に、前記庫内の設定温度を前記第一の設定温度よりも低い第二の設定温度に変更する制御命令を生成して、
前記制御命令を前記冷蔵庫に送信し、
前記ユーザの住宅に課せられる電力消費の削減要請時間帯情報を受信し、
前記位置推定情報から前記ユーザの帰宅時刻を計算する処理を実行させるプログラムであって、
前記処理において、前記帰宅時刻が前記削減要請時間帯情報が示す削減要請時間帯に含まれる場合、前記削減要請時間帯の開始時刻から、前記庫内の温度が前記第一の設定温度から前記第二の設定温度に変化するまでに必要な時間だけ遡った時刻に、前記庫内の設定温度を前記第二の設定温度に変更する前記制御命令を生成する、
プログラム。
【発明の詳細な説明】
【技術分野】
【０００１】
本発明は、冷蔵庫内の温度を制御する制御装置、冷蔵庫およびプログラムに関する。
【背景技術】
【０００２】
冷蔵庫は、物品の出し入れを行うことで庫内温度が上昇するものであり、特に長時間開扉していた場合や、買い物後に多くの食品をまとめて入れる場合に温度上昇は顕著である。
【０００３】
庫内温度の上昇に伴い庫内の物品が傷むこともあるため、この温度上昇を最小限に抑えることが望まれるが、その手段として、遠隔した位置から冷蔵庫へ収納する物品の包装形態や重量の情報を送信し、冷蔵庫は受信した情報に基づき、一旦設定温度よりも庫内温度が低くなるように予冷運転し、その後特定の条件を満たした場合に設定温度に戻す方法などが提案されている。
【０００４】
特許文献１には、冷蔵庫の使用者が、適切な温度を推量して、冷凍庫の庫内温度を設定するという手間を省き、物品情報に基づき先ず庫内を通常設定温度よりも冷やし、次に通常設定温度に復帰させる冷蔵庫が開示されている。
【先行技術文献】
【特許文献】
【０００５】
【特許文献１】特開２００３−１５６２７５号公報
【発明の概要】
【発明が解決しようとする課題】
【０００６】
特許文献１の技術では、冷凍庫に入庫する物品の購入からユーザが実際に冷凍庫に物品を入庫するまでの時間は考慮されておらず、物品の購入から入庫までの時間が長い場合に、長時間にわたり予冷運転を行うことになる。
【０００７】
本発明は、上述のような事情に鑑みてなされたもので、冷蔵庫に物品を入庫するタイミングに合わせて予冷運転を行うことを可能にすることを目的とする。
【課題を解決するための手段】
【０００８】
上記目的を達成するため、本発明に係る制御装置は、ユーザの住宅に設置された冷蔵庫の庫内の温度を第一の設定温度から変更する制御装置である。制御装置は、設定温度情報受信部と、予冷要求受信部と、位置推定受信部と、制御命令生成部と、制御命令送信部と、記憶部と、帰宅時刻推定部と、を備える。設定温度情報受信部は、冷蔵庫から第一の設定温度を受信する。予冷要求受信部は、ユーザが宅外で購入した物品の保存温度から、物品を冷蔵庫で保存する必要性を示す予冷要求信号を受信する。位置推定受信部は、ユーザの位置を推定可能な位置推定情報を受信する。制御命令生成部は、予冷要求信号により、物品を保存する必要があると判定され、かつ、位置推定情報により、ユーザの推定位置が冷蔵庫から限られた範囲内であると判定された場合に、庫内の設定温度を第一の設定温度よりも低い第二の設定温度に変更する制御命令を生成する。制御命令送信部は、制御命令を冷蔵庫に送信する。記憶部は、ユーザの住宅に課せられる時間帯別電気料金情報を記憶する。帰宅時刻推定部は、位置推定情報からユーザの帰宅時刻を計算する。そして、制御命令生成部は、帰宅時刻に該当する時間帯の電気料金よりもその前の時間帯の電気料金が安い場合、帰宅時刻に該当する時間帯の開始時刻から、庫内の温度が第一の設定温度から第二の設定温度に変化するまでに必要な時間だけ遡った時刻に、庫内の設定温度を第二の設定温度に変更する制御命令を生成する。
【発明の効果】
【０００９】
本発明によれば、ユーザの位置を推定して冷蔵庫の設定温度の変更を行うことで、冷蔵庫に物品を入庫するタイミングに合わせて予冷運転を行うことができる。
【図面の簡単な説明】
【００１０】
【図１】本発明の実施の形態１に係る冷蔵庫制御システムの構成例を示す図である。
【図２】実施の形態１に係る冷蔵庫の機能構成例を示す図である。
【図３】実施の形態１に係る制御装置の機能構成例を示す図である。
【図４】実施の形態１に係るオートロック装置の機能構成例を示す図である。
【図５】実施の形態１に係るＰＯＳ端末の機能構成例を示す図である。
【図６】実施の形態１に係る情報サーバの機能構成例を示す図である。
【図７】実施の形態１に係る予冷要求送信処理の動作の一例を示すフローチャートである。
【図８】実施の形態１に係る予冷処理の動作の一例を示すフローチャートである。
【図９】本発明の実施の形態２に係る冷蔵庫制御システムの構成例を示す図である。
【図１０】実施の形態２に係る情報端末の機能構成例を示す図である。
【図１１】実施の形態２に係る制御装置の機能構成例を示す図である。
【図１２】実施の形態２に係る位置情報送信処理の動作の一例を示すフローチャートである。
【図１３】実施の形態２に係る予冷処理の動作の一例を示すフローチャートである。
【図１４】本発明の実施の形態に係る各装置を制御するハードウェア構成の一例を示す図である。
【発明を実施するための形態】
【００１１】
以下に、本発明を実施するための形態について図面を参照して詳細に説明する。なお、図中同一または相当する部分には同じ符号を付す。
【００１２】
（実施の形態１）
図１は、本発明の実施の形態１に係る冷蔵庫制御システムの構成例を示す図である。冷蔵庫制御システム１００は、冷蔵庫１と、制御装置２と、オートロック装置３と、ＰＯＳ端末６と、情報サーバ７とで構成される。冷蔵庫１は、庫内の温度をユーザによって入力された第一の設定温度に保つ。制御装置２は、冷蔵庫１に庫内の温度を第一の設定温度よりも低い第二の設定温度に変更させる制御命令を送信して庫内の温度を制御する。オートロック装置３は、例えば、ユーザが住む建物（マンションなど）の出入口にあって、出入口の施錠および解錠を制御する。オートロック装置３は、解錠された場合に解錠されたことを示す解錠情報を制御装置２に送信する。制御装置２は、ルータ４を介して外部のネットワーク５に接続する。
【００１３】
ＰＯＳ端末６は、ユーザが物品を購入する店舗のＰＯＳ（point of sales system：販売時点情報管理）システムの端末である。ＰＯＳ端末６は、スタンドアロンのＰＯＳレジスタであってもよいし、１台以上のＰＯＳレジスタと接続するＰＯＳサーバであってもよい。情報サーバ７は、宛先情報と物品情報とを管理する。宛先情報は、ユーザを識別するＩＤ情報と、ユーザの冷蔵庫１を制御する制御装置２の宛先アドレスを示すアドレス情報とを対応付けた情報である。物品情報は、店舗で販売されている物品を識別する物品識別情報と、物品の保存温度（常温・冷蔵・冷凍など）を示す温度情報とを対応付けた情報である。ＰＯＳ端末６および情報サーバ７は、ネットワーク５に接続する。
【００１４】
ＰＯＳ端末６は、物品を購入したユーザに対応するアドレス情報と、ユーザが購入した物品の温度情報とを情報サーバ７から取得する。ＰＯＳ端末６は、ユーザが購入した物品の保存温度が冷蔵または冷凍である場合に、ユーザの冷蔵庫１を制御する制御装置２の宛先アドレスに予冷運転の開始を要求する予冷要求信号を送信する。制御装置２は、ＰＯＳ端末６から予冷要求信号を受信した後に、オートロック装置３から解錠情報を受信すると、庫内の温度を第二の設定温度にする制御命令を冷蔵庫１に送信する。冷蔵庫制御システム１００では、オートロック装置３からの解錠情報に基づいて、ユーザの推定位置が自宅から限られた範囲内（ユーザが住む建物の出入口）であるか否かを判定する。本実施の形態における解錠情報は、本発明の位置推定情報である。
【００１５】
冷蔵庫１は、制御装置２から受信した制御命令にしたがって、庫内の温度を第二の設定温度にする。その後、冷蔵庫１は、扉が開いたことを検知すると、庫内の温度を第一の設定温度に戻す。または、扉が一旦開いたあと再び閉じられたことを検知後、一定時間以上連続して扉が開かれないことを確認したあとで、庫内の温度を第一の設定温度に戻すように構成してもよい。
【００１６】
図２は、実施の形態１に係る冷蔵庫の機能構成例を示す図である。冷蔵庫１は、入力部１１と、記憶部１２と、設定温度情報送信部１３と、制御命令受信部１４と、開閉検知部１５と、冷却部１６とを備える。入力部１１は、例えば冷蔵庫１の扉部分に設けられたＬＥＤ表示器とタッチパッドなどで構成され、ユーザの第一の設定温度の入力を受け付ける。入力部１１は、入力された第一の設定温度を示す設定温度情報を記憶部１２に記憶する。設定温度情報送信部１３は、記憶部１２に記憶された設定温度情報を制御装置２に送信する。設定温度情報を送信するタイミングは、定期的に送信してもよいし、第一の設定温度が変更されるごとに送信してもよい。制御命令受信部１４は、制御装置２から制御命令を受信する。制御命令受信部１４は受信した制御命令を冷却部１６に送る。
【００１７】
冷却部１６は、例えばコンプレッサや蒸発器、循環ファン、温度センサなどで構成され、庫内の温度を記憶部１２が記憶する設定温度情報が示す第一の設定温度にし、物品を冷却する。冷却部１６は、制御命令受信部１４から制御命令を受け取ると、制御命令に従って庫内の温度を変更する。開閉検知部１５は、例えば開閉センサであって、冷蔵庫１の扉の開閉を検知する。開閉検知部１５は、冷蔵庫１の扉が開いたことを検知すると、冷却部１６に開扉を通知する。冷却部１６は、制御命令に従って庫内の温度を変更した後に、開閉検知部１５から開扉を通知されると、庫内の温度を記憶部１２が記憶する設定温度情報が示す第一の設定温度に戻す。本実施の形態では、開扉されたことを示す情報が本発明の計測情報である。
【００１８】
図３は、実施の形態１に係る制御装置の機能構成例を示す図である。制御装置２は、設定温度情報受信部２１と、記憶部２２と、予冷要求受信部２３と、制御命令生成部２４と、解錠情報受信部２５と、制御命令送信部２６とを備える。設定温度情報受信部２１は、冷蔵庫1から設定温度情報を受信する。設定温度情報受信部２１は、受信した設定温度情報を記憶部２２に記憶する。予冷要求受信部２３は、ＰＯＳ端末６から予冷要求信号を受信する。予冷要求受信部２３は、受信した予冷要求信号を、制御命令生成部２４に送る。解錠情報受信部２５は、オートロック装置３から解錠情報を受信する。解錠情報受信部２５は、受信した解錠情報を制御命令生成部２４に送る。本実施の形態における解錠情報受信部２５は、本発明の位置推定受信部である。
【００１９】
制御命令生成部２４は、予冷要求受信部２３から予冷要求信号を受け取ったのちに、解錠情報受信部２５から解錠情報を受け取ると、記憶部２２が記憶する設定温度情報を参照し、庫内の温度を第一の設定温度よりも低い第二の設定温度にする制御命令を生成する。制御命令生成部２４は、生成した制御命令を制御命令送信部２６に送る。制御命令送信部２６は、制御命令生成部２４から受け取った制御命令を冷蔵庫１に送信する。なお、制御装置２は、冷蔵庫１に内蔵されてもよいし、１つの制御装置２が複数の冷蔵庫１を制御してもよい。
【００２０】
図４は、実施の形態１に係るオートロック装置の機能構成例を示す図である。オートロック装置３は、ＩＤ情報取得部３１と、施解錠部３２と、記憶部３３と、解錠情報送信部３４とを備える。ＩＤ情報取得部３１は、例えば、ＩＤカードリーダであって、ユーザのＩＤカードからユーザのＩＤ情報を読み取る。ＩＤ情報取得部３１は、読み取ったユーザのＩＤ情報を施解錠部３２に送る。記憶部３３は、施錠および解錠を許可されたユーザのＩＤ情報のリストである許可情報を記憶する。施解錠部３２は、ＩＤ情報取得部３１からＩＤ情報を受け取ると、記憶部３３が記憶する許可情報を参照し、施錠および解錠を許可されたユーザのＩＤ情報であった場合には、施錠または解錠する。施解錠部３２は、解錠すると解錠情報を解錠情報送信部３４に送る。施解錠部３２は、本発明の施解錠手段である。解錠情報送信部３４は、施解錠部３２から受け取った解錠情報を制御装置２に送信する。なお、実施の形態１では、オートロック装置３が解錠情報を制御装置２に送信する構成を説明したが、ユーザが住む建物の出入口が解錠されたことを示す信号を出力するものであれば、オートロック装置３に限らない。
【００２１】
図５は、実施の形態１に係るＰＯＳ端末の機能構成例を示す図である。ＰＯＳ端末６は、ＩＤ情報取得部６１と、ＩＤ情報送信部６２と、アドレス情報受信部６３と、購入品情報取得部６４と、購入品情報送信部６５と、温度情報受信部６６と、予冷要求生成部６７と、予冷要求送信部６８とを備える。ＩＤ情報取得部６１は、例えば、店舗の会員証の読取装置であって、ユーザの会員証からユーザのＩＤ情報を読み取る。ＩＤ情報取得部６１は、読み取ったユーザのＩＤ情報をＩＤ情報送信部６２に送る。ＩＤ情報送信部６２は、ＩＤ情報取得部６１から受け取ったＩＤ情報を情報サーバ７に送信する。
【００２２】
アドレス情報受信部６３は、情報サーバ７から、物品を購入したユーザに対応するアドレス情報を受信する。アドレス情報受信部６３は、受信したアドレス情報を予冷要求生成部６７に送る。購入品情報取得部６４は、例えば、バーコードリーダであって、ユーザが購入した物品のバーコードを読み取り、ユーザが購入した物品の物品識別情報である購入品情報を取得する。購入品情報取得部６４は、取得した購入品情報を購入品情報送信部６５に送る。購入品情報送信部６５は、購入品情報取得部６４から受け取った購入品情報を情報サーバ７に送信する。
【００２３】
温度情報受信部６６は、情報サーバ７から、ユーザが購入した物品の温度情報を受信する。なお、温度情報受信部６６は、情報サーバ７から、ユーザが購入した物品に関する属性情報を受信し、その中から温度情報を抽出してもよい。温度情報受信部６６は、受信した温度情報を予冷要求生成部６７に送る。予冷要求生成部６７は、温度情報受信部６６から受け取った温度情報に基づいて、ユーザが購入した物品の中に保存温度が冷蔵または冷凍のものがあるか否かを判定する。ユーザが購入した物品の中に保存温度が冷蔵または冷凍のものがある場合、つまり、ユーザが購入した物品の保存温度が冷蔵庫１への入庫が必要な温度である場合に、予冷要求生成部６７は、予冷要求信号を生成し、予冷要求送信部６８に送る。
【００２４】
ユーザが購入した物品の保存温度が冷蔵の場合は、冷蔵室の予冷要求信号を生成し、ユーザが購入した物品の保存温度が冷凍の場合は、冷凍室の予冷要求信号を生成するといったように、冷蔵室と冷凍室の予冷要求信号を分けてもよい。また、予冷要求生成部６７は、物品識別情報に基づいて、ユーザが購入した物品が野菜であるか否かを判定し、野菜である場合には、野菜室の予冷要求信号を生成してもよい。つまり、冷蔵庫１が保存温度の異なる複数の貯蔵室を有する場合、設定温度情報送信部１３は、貯蔵室ごとに定められた設定温度情報を貯蔵室数分送信する。予冷要求生成部６７は、ユーザが購入した物品の保存温度が貯蔵室への入庫が必要な温度である場合に、貯蔵室ごとに物品を保存する必要性を示す貯蔵室数分の予冷要求信号を生成する。この場合、制御装置２の設定温度情報受信部２１は、貯蔵室ごとに定められた設定温度情報を貯蔵室数分受信し、記憶部２２に記憶する。予冷要求受信部２３は、複数の貯蔵室のうち、物品を保存する必要性を示す貯蔵室の予冷要求信号を受信する。制御命令生成部２４は、予冷要求受信部２３から物品を保存する必要性を示す貯蔵室の予冷要求信号を受け取ったのちに、解錠情報受信部２５から解錠情報を受け取ると、当該貯蔵室の温度を第一の設定温度よりも低い第二の設定温度にする制御命令を生成する。
【００２５】
予冷要求送信部６８は、予冷要求生成部６７から受け取った予冷要求信号を制御装置２に送信する。予冷要求信号に、保存温度が冷蔵や冷凍の物品の数や量、保存温度などを示す情報を含んでもよい。予冷要求信号に保存温度が冷蔵や冷凍の物品の数や量、保存温度などを示す情報が含まれる場合には、制御装置２の制御命令生成部２４は、庫内の温度を、保存温度が冷蔵や冷凍の物品の数や量、保存温度などに合わせた温度にする制御命令を生成するとよい。これにより、新たに貯蔵する物品に合せて庫内を予冷運転することができ、必要のない予冷運転を省略することができる。
【００２６】
図６は、実施の形態１に係る情報サーバの機能構成例を示す図である。情報サーバ７は、ＩＤ情報受信部７１と、アドレス情報送信部７２と、記憶部７３と、購入品情報受信部７４と、温度情報送信部７５とを備える。ＩＤ情報受信部７１は、ＰＯＳ端末６からＩＤ情報を受信する。ＩＤ情報受信部７１は、受信したＩＤ情報をアドレス情報送信部７２に送る。アドレス情報送信部７２は、記憶部７３が記憶する宛先情報を参照し、ＩＤ情報受信部７１から受け取ったＩＤ情報に対応するアドレス情報をＰＯＳ端末６に送信する。購入品情報受信部７４は、ＰＯＳ端末６から購入品情報を受信する。購入品情報受信部７４は、受信した購入品情報を温度情報送信部７５に送る。温度情報送信部７５は、記憶部７３が記憶する物品情報を参照し、購入品情報受信部７４から受け取った購入品情報に含まれる物品識別情報に対応する温度情報をＰＯＳ端末６に送信する。
【００２７】
冷蔵庫制御システム１００が実行する冷蔵庫制御処理には、ＰＯＳ端末６および情報サーバ７が実行する予冷要求送信処理と、制御装置２および冷蔵庫１が実行する予冷処理とが含まれる。
【００２８】
図７は、実施の形態１に係る予冷要求送信処理の動作の一例を示すフローチャートである。予冷要求送信処理は、ＰＯＳ端末６および情報サーバ７が起動すると開始する。
【００２９】
ＰＯＳ端末６のＩＤ情報取得部６１は、ユーザのＩＤ情報を取得しない場合（ステップＳ１１；ＮＯ）、ステップＳ１１を繰り返して、ユーザのＩＤ情報の取得を待機する。ＩＤ情報取得部６１は、ユーザのＩＤ情報を取得すると（ステップＳ１１；ＹＥＳ）、ＩＤ情報送信部６２に送る。ＩＤ情報送信部６２は、ＩＤ情報取得部６１から受け取ったＩＤ情報を情報サーバ７に送信する（ステップＳ１２）。
【００３０】
情報サーバ７のＩＤ情報受信部７１は、ＰＯＳ端末６からＩＤ情報を受信すると（ステップＳ２１）、アドレス情報送信部７２に送る。アドレス情報送信部７２は、記憶部７３が記憶する宛先情報を参照し、ＩＤ情報受信部７１から受け取ったＩＤ情報に対応するアドレス情報をＰＯＳ端末６に送信する（ステップＳ２２）。
【００３１】
ＰＯＳ端末６のアドレス情報受信部６３は、情報サーバ７からアドレス情報を受信すると（ステップＳ１３）、予冷要求生成部６７に送る。購入品情報取得部６４は、購入品情報を取得しない場合（ステップＳ１４；ＮＯ）、ステップＳ１４を繰り返して、購入品情報の取得を待機する。購入品情報取得部６４は、購入品情報を取得すると（ステップＳ１４；ＹＥＳ）、購入品情報送信部６５に送る。購入品情報送信部６５は、購入品情報取得部６４から受け取った購入品情報を情報サーバ７に送信する（ステップＳ１５）。
【００３２】
情報サーバ７の購入品情報受信部７４は、ＰＯＳ端末６から購入品情報を受信すると（ステップＳ２３）、温度情報送信部７５に送る。温度情報送信部７５は、記憶部７３が記憶する物品情報を参照し、購入品情報受信部７４から受け取った購入品情報に含まれる物品識別情報に対応する温度情報をＰＯＳ端末６に送信し（ステップＳ２４）、処理を終了する。
【００３３】
ＰＯＳ端末６の温度情報受信部６６は、情報サーバ７から温度情報を受信すると（ステップＳ１６）、予冷要求生成部６７に送る。予冷要求生成部６７は、温度情報受信部６６から受け取った温度情報に基づいて、ユーザが購入した物品の中に保存温度が冷蔵または冷凍のものがあるか否かを判定する（ステップＳ１７）。ユーザが購入した物品の中に保存温度が冷蔵または冷凍のものがない場合（ステップＳ１７；ＮＯ）、予冷要求生成部６７は、処理を終了する。ユーザが購入した物品の中に保存温度が冷蔵または冷凍のものがある場合（ステップＳ１７；ＹＥＳ）、予冷要求生成部６７は、予冷要求信号を生成し（ステップＳ１８）、予冷要求送信部６８に送る。予冷要求送信部６８は、予冷要求生成部６７から受け取った予冷要求信号を制御装置２に送信し（ステップＳ１９）、処理を終了する。
【００３４】
なお、ステップＳ１９の実行前に、ＰＯＳ端末６が備える入力部（図示せず）から予冷要求信号の送信可否を入力できるようにしてもよい。これにより、ユーザは購入した物品を持ち帰らない場合や、冷蔵庫１に保存しない場合などに、予冷要求信号を送信しないことが可能になる。ユーザが予冷要求信号の送信拒否を選択した場合、ステップＳ１９は実行されず、処理が終了する。
【００３５】
図８は、実施の形態１に係る予冷処理の動作の一例を示すフローチャートである。冷蔵庫１および制御装置２は常に起動しているものであるが、制御装置２は通常時は起動していないものであっても構わず、その場合、予冷処理は、制御装置２が起動すると開始する。
【００３６】
制御装置２の予冷要求受信部２３は、ＰＯＳ端末６から予冷要求信号を受信しない場合（ステップＳ３１；ＮＯ）、ステップＳ３１を繰り返して、予冷要求信号の受信を待機する。予冷要求受信部２３は、予冷要求信号を受信すると（ステップＳ３１；ＹＥＳ）、制御命令生成部２４に送る。解錠情報受信部２５は、オートロック装置３から解錠情報を受信しない場合（ステップＳ３２；ＮＯ）、ステップＳ３２を繰り返して、解錠情報の受信を待機する。解錠情報受信部２５は、解錠情報を受信すると（ステップＳ３２；ＹＥＳ）、制御命令生成部２４に送る。
【００３７】
制御命令生成部２４は、記憶部２２が記憶する設定温度情報を参照し、庫内の温度を第一の設定温度よりも低い第二の設定温度にする制御命令を生成し（ステップＳ３３）、制御命令送信部２６に送る。制御命令送信部２６は、制御命令生成部２４から受け取った制御命令を冷蔵庫１に送信し（ステップＳ３４）、処理を終了する。
【００３８】
なお、予冷要求信号に有効時間を設定してもよい。この場合、ステップＳ３２において一定時間（例えば６時間）解錠情報を受信しなければ、ユーザは購入した物品を冷蔵庫１に保存しないと判断し、予冷要求信号を無効とする。
【００３９】
冷蔵庫１の制御命令受信部１４は、制御装置２から制御命令を受信すると（ステップＳ４１）、冷却部１６に送る。冷却部１６は、制御命令受信部１４から制御命令を受け取ると、制御命令に従って庫内の温度を変更する（ステップＳ４２）。開閉検知部１５は、冷蔵庫１の開扉を検知しない場合（ステップＳ４３；ＮＯ）、ステップＳ４３を繰り返して、冷蔵庫１の開扉を待機する。開閉検知部１５は、冷蔵庫１の開扉を検知すると（ステップＳ４３；ＹＥＳ）、冷却部１６に開扉を通知する。冷却部１６は、開閉検知部１５から開扉を通知されると、庫内の温度を記憶部１２が記憶する設定温度情報が示す第一の設定温度に戻し（ステップＳ４４）、処理を終了する。
【００４０】
なお、ステップＳ４２で庫内の温度を変更した後に、冷蔵庫１の入力部１１に、さらに低い第一の設定温度の設定温度情報が入力され、記憶部１２の設定温度情報が更新された場合には、冷却部１６は、開閉検知部１５が冷蔵庫１の開扉を検知しなくても（ステップＳ４３；ＮＯ）、庫内の温度を記憶部１２が記憶する設定温度情報が示す第一の設定温度にする構成にしてもよい。あるいは、ステップＳ３４で制御命令を冷蔵庫１に送信した後に、制御装置２の設定温度情報受信部２１が、さらに低い第一の設定温度の設定温度情報を受信し、記憶部２２の設定温度情報が更新された場合には、制御命令生成部２４は、庫内の温度を記憶部２２が記憶する設定温度情報が示す第一の設定温度にする制御命令を生成し、制御命令送信部２６が冷蔵庫１に送信する構成にしてもよい。
【００４１】
上記の予冷処理以外に、冷蔵庫１の設定温度情報送信部１３は決められたタイミングで設定温度情報を制御装置２に送信し、制御装置２の設定温度情報受信部２１は冷蔵庫1から設定温度情報を受信し、記憶部２２に記憶する処理を行う。
【００４２】
なお、第二の設定温度は、制御装置２の記憶部２２に第一の設定温度を示す設定温度情報とは別に記憶されてもよいし、冷蔵庫１の記憶部１２に第一の設定温度を示す設定温度情報とは別に記憶されてもよい。
【００４３】
あるいは、冷蔵庫１が制御命令に従って庫内の温度を変更する際（ステップＳ４２）、記憶部１２が記憶する設定温度情報を第一の設定温度から第二の設定温度に上書きしてもよい。この場合、冷蔵庫１が庫内の温度を第一の設定温度に戻す際（ステップＳ４４）、冷蔵庫１が制御装置２に第一の設定温度を問い合わせ、制御装置２が冷蔵庫１に第一の設定温度を応答してもよい。または、冷蔵庫１が庫内の温度を第一の設定温度に戻す条件を満たしたこと（ステップＳ４３；ＹＥＳ）を制御装置２に通知し、制御装置２が庫内の温度を第一の設定温度に戻す制御命令を冷蔵庫１に送信する構成にしてもよい。
【００４４】
もしくは、制御装置２が、庫内の温度を第二の設定温度にする制御命令を冷蔵庫１に送信した後、冷蔵庫１で計測された計測情報を定期的に取得し、庫内の温度を第一の設定温度に戻す条件を満たした場合（例えば、冷蔵庫１の扉の開閉を検知した検知情報を定期的に取得し、開扉を検知した場合）、庫内の温度を第一の設定温度にする制御命令を生成して、冷蔵庫１に送信する構成にしてもよい。
【００４５】
以上説明したように実施の形態１の冷蔵庫制御システム１００によれば、ユーザの位置を推定して冷蔵庫１の設定温度の変更を行うことで、冷蔵庫１に入庫するタイミングに合わせて予冷運転を行うことができる。
【００４６】
（実施の形態２）
図９は、本発明の実施の形態２に係る冷蔵庫制御システムの構成例を示す図である。実施の形態２の冷蔵庫制御システム２００は、実施の形態１の冷蔵庫制御システム１００のＰＯＳ端末６に代えて、ユーザが所持する位置検出機能を搭載した情報端末８を備える。位置検出機能は、例えば、ＧＰＳ（Global Positioning System）でもよいし、無線ＬＡＮによる位置検出でもよい。また、冷蔵庫制御システム２００では、オートロック装置３を備えず、オートロック装置３からの解錠情報に代えて、情報端末８からの位置情報に基づいて、ユーザの推定位置が自宅から限られた範囲内であるか否かを判定する。情報端末８は、例えばユーザが所持するスマートフォンであり、冷蔵庫制御システム２００の専用アプリケーションをインストールすることで、情報端末８として機能する。その他の構成は、実施の形態１と同様である。
【００４７】
図１０は、実施の形態２に係る情報端末の機能構成例を示す図である。情報端末８は、記憶部８１と、ＩＤ情報送信部８２と、アドレス情報受信部８３と、購入品情報取得部８４と、購入品情報送信部８５と、温度情報受信部８６と、位置情報生成部８７と、位置情報送信部８８と、開始通知受信部８９と、位置検出部９０とを備える。記憶部８１は、あらかじめユーザのＩＤ情報を記憶している。ユーザが情報端末８の専用アプリケーションを起動すると、ＩＤ情報送信部８２は、記憶部８１が記憶するＩＤ情報を情報サーバ７に送信する。ＩＤ情報は、ユーザの操作によって送信してもよい。
【００４８】
アドレス情報受信部８３は、情報サーバ７から、物品を購入したユーザに対応するアドレス情報を受信する。アドレス情報受信部８３は、受信したアドレス情報を位置情報生成部８７に送る。購入品情報取得部８４は、例えば、バーコードリーダの機能であって、ユーザが購入した物品のバーコードを読み取り、ユーザが購入した物品の物品識別情報である購入品情報を取得する。購入品情報取得部８４は、取得した購入品情報を購入品情報送信部８５に送る。購入品情報送信部８５は、購入品情報取得部８４から受け取った購入品情報を情報サーバ７に送信する。
【００４９】
温度情報受信部８６は、情報サーバ７から、ユーザが購入した物品の温度情報を受信する。温度情報受信部８６は、受信した温度情報を位置情報生成部８７に送る。位置検出部９０は、情報端末８の位置を検出し、情報端末８の位置を示す検出情報を位置情報生成部８７に送る。位置情報生成部８７は、温度情報受信部８６から受け取った温度情報に基づいて、ユーザが購入した物品の中に保存温度が冷蔵または冷凍のものがあるか否かを判定する。ユーザが購入した物品の中に保存温度が冷蔵または冷凍のものがある場合、位置情報生成部８７は、位置検出部９０から受け取った検出情報と予冷要求信号とを含む位置情報を生成し、アドレス情報受信部８３から受け取ったアドレス情報と共に位置情報送信部８８に送る。位置情報送信部８８は、位置情報生成部８７から受け取った位置情報を、共に受け取ったアドレス情報が示す制御装置２に送信する。本実施の形態における位置情報は、本発明の位置推定情報であって、位置検出部９０は、本発明の位置検出手段である。
【００５０】
位置情報に、保存温度が冷蔵や冷凍の物品の数や量、保存温度などを示す情報を含んでもよい。位置情報に保存温度が冷蔵や冷凍の物品の数や量、保存温度などを示す情報が含まれる場合には、制御装置２の制御命令生成部２４が制御命令を生成する条件の「自宅から限られた範囲」を保存温度が冷蔵や冷凍の物品の数や量、保存温度などに合わせて設定するとよい。
【００５１】
開始通知受信部８９は、制御装置２から、予冷運転を開始したことを通知する開始通知信号を受信し、位置情報生成部８７に送る。位置情報生成部８７および位置情報送信部８８は、開始通知受信部８９から開始通知信号を受け取るまで繰り返し位置情報を生成し、制御装置２に送信し続ける。予冷要求信号を含むのは、位置情報生成部８７が、ユーザが購入した物品の中に保存温度が冷蔵または冷凍のものがあると判定した後、最初に生成する位置情報だけでもよい。
【００５２】
図１１は、実施の形態２に係る制御装置の機能構成例を示す図である。実施の形態２の制御装置２は、実施の形態１の制御装置２の予冷要求受信部２３および解錠情報受信部２５に代えて、位置情報受信部２７および位置判定部２８を備える。加えて、開始通知送信部２９を備える。
【００５３】
位置情報受信部２７は、情報端末８から位置情報を受信する。位置情報受信部２７は、受信した位置情報を、位置判定部２８に送る。位置判定部２８は、位置情報受信部２７から受け取った位置情報が示す位置が、自宅から限られた範囲内であるか否かを判定する。自宅から限られた範囲内である場合、位置判定部２８は、制御命令生成部２４に、情報端末８の位置が自宅から限られた範囲内であることを通知する。制御命令生成部２４は、位置判定部２８から情報端末８の位置が自宅から限られた範囲内であることを通知されると、記憶部２２が記憶する設定温度情報を参照し、庫内の温度を第一の設定温度よりも低い第二の設定温度にする制御命令を生成する。本実施の形態における位置情報受信部２７は、本発明の位置推定受信部である。
【００５４】
制御命令生成部２４は、生成した制御命令を制御命令送信部２６に送ると、予冷運転を開始したことを通知する開始通知信号を生成し、開始通知送信部２９に送る。開始通知送信部２９は、制御命令生成部２４から受け取った開始通知信号を情報端末８に送信する。その他の構成は、実施の形態１の制御装置２と同様である。
【００５５】
冷蔵庫制御システム２００が実行する冷蔵庫制御処理には、情報端末８および情報サーバ７が実行する位置情報送信処理と、制御装置２および冷蔵庫１が実行する予冷処理とが含まれる。
【００５６】
図１２は、実施の形態２に係る位置情報送信処理の動作の一例を示すフローチャートである。位置情報送信処理は、情報端末８の専用アプリケーションおよび情報サーバ７が起動すると開始する。情報サーバ７が実行するステップＳ６１〜ステップＳ６４は、図７に示すフローチャートのステップＳ２１〜ステップＳ２４と同様であるため、説明を省略する。
【００５７】
ユーザが情報端末８の専用アプリケーションを起動すると、情報端末８のＩＤ情報送信部８２は、記憶部８１が記憶するＩＤ情報を情報サーバ７に送信する（ステップＳ５１）。アドレス情報受信部８３は、情報サーバ７からアドレス情報を受信すると（ステップＳ５２）、位置情報生成部８７に送る。購入品情報取得部８４は、購入品情報を取得しない場合（ステップＳ５３；ＮＯ）、ステップＳ５３を繰り返して、購入品情報の取得を待機する。購入品情報取得部８４は、購入品情報を取得すると（ステップＳ５３；ＹＥＳ）、購入品情報送信部８５に送る。購入品情報送信部８５は、購入品情報取得部８４から受け取った購入品情報を情報サーバ７に送信する（ステップＳ５４）。温度情報受信部８６は、情報サーバ７から温度情報を受信すると（ステップＳ５５）、位置情報生成部８７に送る。
【００５８】
位置情報生成部８７は、温度情報受信部８６から受け取った温度情報に基づいて、ユーザが購入した物品の中に保存温度が冷蔵または冷凍のものがあるか否かを判定する（ステップＳ５６）。ユーザが購入した物品の中に保存温度が冷蔵または冷凍のものがない場合（ステップＳ５６；ＮＯ）、位置情報生成部８７は、処理を終了する。ユーザが購入した物品の中に保存温度が冷蔵または冷凍のものがある場合（ステップＳ５６；ＹＥＳ）、位置情報生成部８７は、位置情報を生成し（ステップＳ５７）、位置情報送信部８８に送る。位置情報送信部８８は、位置情報生成部８７から受け取った位置情報を制御装置２に送信する（ステップＳ５８）。
【００５９】
開始通知受信部８９が制御装置２から開始通知信号を受信しない場合（ステップＳ５９；ＮＯ）、位置情報生成部８７、位置情報送信部８８および開始通知受信部８９は、制御装置２から開始通知信号を受信するまでステップＳ５７〜ステップＳ５９を繰り返す。開始通知受信部８９が制御装置２から開始通知信号を受信すると（ステップＳ５９；ＹＥＳ）、処理を終了する。
【００６０】
図１３は、実施の形態２に係る予冷処理の動作の一例を示すフローチャートである。冷蔵庫１および制御装置２は常に起動しているものであるが、制御装置２は通常時は起動していないものであっても構わず、その場合、予冷処理は、制御装置２が起動すると開始する。冷蔵庫１が実行するステップＳ８１〜ステップＳ８４は、図８に示すフローチャートのステップＳ４１〜ステップＳ４４と同様であるため、説明を省略する。
【００６１】
制御装置２の位置情報受信部２７は、情報端末８から位置情報を受信しない場合（ステップＳ７１；ＮＯ）、ステップＳ７１を繰り返して、位置情報の受信を待機する。位置情報受信部２７は、位置情報を受信すると（ステップＳ７１；ＹＥＳ）、位置判定部２８に送る。位置判定部２８は、位置情報受信部２７から受け取った位置情報が示す位置が、自宅から限られた範囲内であるか否かを判定する（ステップＳ７２）。
【００６２】
位置情報が示す位置が自宅から限られた範囲内でない場合（ステップＳ７２；ＮＯ）、位置情報受信部２７および位置判定部２８は、位置情報が示す位置が自宅から限られた範囲内になるまでステップＳ７１およびステップＳ７２を繰り返す。位置情報が示す位置が自宅から限られた範囲内である場合（ステップＳ７２；ＹＥＳ）、位置判定部２８は、制御命令生成部２４に、情報端末８の位置が自宅から限られた範囲内であることを通知する。
【００６３】
制御命令生成部２４は、位置判定部２８から情報端末８の位置が自宅から限られた範囲内であることを通知されると、記憶部２２が記憶する設定温度情報を参照し、庫内の温度を第一の設定温度よりも低い第二の設定温度にする制御命令を生成し（ステップＳ７３）、制御命令送信部２６に送る。制御命令送信部２６は、制御命令生成部２４から受け取った制御命令を冷蔵庫１に送信する（ステップＳ７４）。制御命令生成部２４は、予冷運転を開始したことを通知する開始通知信号を生成し（ステップＳ７５）、開始通知送信部２９に送る。開始通知送信部２９は、制御命令生成部２４から受け取った開始通知信号を情報端末８に送信し（ステップＳ７６）、処理を終了する。
【００６４】
情報端末８は、ユーザからの予冷要求信号の入力を受け付け、制御装置２に予冷要求信号を送信する機能を備えてもよい。この場合、制御装置２は、情報端末８から予冷要求信号を受信すると、強制的に庫内の温度を第一の設定温度よりも低い第二の設定温度にする制御命令を冷蔵庫１に送信する。また、位置情報受信部２７および位置判定部２８は、情報端末８が備え、情報端末８は予冷要求を制御装置２に送信してもよい。この場合、制御装置２の機能構成は、実施の形態１と同じでよい。
【００６５】
ユーザが情報端末８に現在地を入力する構成やユーザが帰宅時刻を入力する構成にしてもよい。この場合、情報端末８は位置検出機能を備えなくてもよく、位置情報送信部８８は、ユーザが入力した現在地を示す情報や、ユーザが入力した帰宅時刻を示す情報を制御装置２に送信する。制御装置２は、これらの情報に基づいて、ユーザの推定位置が自宅から限られた範囲内であるか否かを判定する。この場合、ユーザが入力した現在地を示す情報や、ユーザが入力した帰宅時刻を示す情報は、本発明の位置推定情報である。
【００６６】
以上説明したように実施の形態２の冷蔵庫制御システム２００によれば、ユーザが物品を購入する店舗がＰＯＳシステムを導入していなくても、本発明を適用できる。また、ユーザが所持する情報端末８の位置情報を利用するので、ユーザの住む建物がオートロックでない場合や、出入口から冷蔵庫１までの距離が近い場合などでも適用できる。
【００６７】
図１４は、本発明の実施の形態に係る各装置を制御するハードウェア構成の一例を示す図である。冷蔵庫制御システム１００および冷蔵庫制御システム２００を構成する冷蔵庫１、制御装置２、オートロック装置３、ＰＯＳ端末６、情報サーバ７および情報端末８は、それぞれの装置を制御するハードウェア構成としてプロセッサ１０１、メモリ１０２、インターフェース１０３を備える。これらの装置の各機能は、プロセッサ１０１がメモリ１０２に記憶されたプログラムを実行することにより実現される。インターフェース１０３は各装置を接続し、通信を確立させるためのものであり、必要に応じて複数の種類のインターフェース１０３から構成されてもよい。図１４では、プロセッサ１０１およびメモリ１０２をそれぞれ１つで構成する例を示しているが、複数のプロセッサ１０１および複数のメモリ１０２が連携して各機能を実行してもよい。
【００６８】
また、上述の機能を、ＯＳ（Operating System）とアプリケーションとの分担、またはＯＳとアプリケーションとの協同により実現する場合等には、ＯＳ以外の部分のみを媒体に格納してもよい。
【００６９】
さらに、搬送波に各プログラムを重畳し、通信ネットワークを介して配信することも可能である。例えば、通信ネットワーク上の掲示板（BBS、Bulletin  Board  System）に当該プログラムを掲示し、ネットワークを介して当該プログラムを配信してもよい。そして、これらのプログラムを起動し、オペレーティングシステムの制御下で、他のアプリケーションプログラムと同様に実行することにより、上述の処理を実行できるように構成してもよい。
【００７０】
上記の冷蔵庫制御システム１００および冷蔵庫制御システム２００の各構成要素が記憶する情報は、ネットワーク上に存在するクラウドサーバで一括管理され、当該構成要素は必要に応じて当該クラウドサーバにアクセスして情報の読み書きを行うようにしてもよい。この場合、当該構成要素は記憶部を備えなくてもよい。
【００７１】
上記の実施の形態では、情報サーバ７を単一の構成要素としているが、例えば、宛先情報を記憶して管理するサーバと、物品情報を記憶して管理するサーバとをそれぞれ独立したサーバとしてもよい。また、宛先情報および物品情報の少なくとも一方をＰＯＳ端末６が記憶して管理してもよい。また、ＰＯＳ端末６が取得するＩＤ情報とオートロック装置３が取得するＩＤ情報と、情報端末８が記憶するＩＤ情報は、それぞれユーザを一意に識別できる情報であればよく、おなじＩＤ情報でなくてもよい。
【００７２】
上記の実施の形態では、予冷運転の停止条件を冷蔵庫１の開扉を検知することとしているが、これに限らない。例えば、予冷運転の開始条件であるユーザの推定位置からユーザが冷蔵庫１の前に来るまでの所要時間を設定しておき、予冷運転を開始してから設定した所要時間が経過すると予冷運転を自動的に停止するようにしてもよい。あるいは、冷却器に備えられた温度センサが庫内の温度が上昇したことを検知して、予冷運転の停止条件としてもよいし、庫内の温度が上昇してから第一の設定温度以下の温度になったことを検知して、予冷運転の停止条件としてもよい。あるいは、庫内の温度が上昇してから一定時間が経過したことを検知して、予冷運転の停止条件としてもよい。この場合、庫内の温度情報は本発明の計測情報であって、温度センサは本発明の温度検知部である。
【００７３】
本発明は、上記の実施形態に限定されず、本発明の要旨を逸脱しない範囲での種々の変更が可能である。例えば、制御装置２は、時間帯別電気料金情報を記憶し、ユーザの推定位置から帰宅時刻を計算する帰宅時刻推定部を備え、帰宅時刻に該当する時間帯の電気料金が前の時間帯に比べて高くなる場合に、帰宅時刻に該当する時間帯の開始時刻から、庫内の温度を前記第一の設定温度から第二の設定温度へ変化させるのに必要な時間分遡った時刻に、庫内の温度を第二の設定温度に変更する制御命令を冷蔵庫１に送信するようにしてもよい。これにより、より経済的に予冷運転を行うことができる。電気料金が一定の時間を時間帯といい、電気料金は時間帯ごとに変化するものとする。
【００７４】
あるいは、制御装置２が電力消費の削減要請時間帯情報を受信する電力削減要請受信部と、ユーザの推定位置から帰宅時刻を計算する帰宅時刻推定部とを備え、帰宅時刻が電力消費の削減要請の適用時期（削減要請時間帯）に含まれる場合に、電力消費の削減要請時間帯の開始時刻から、庫内の温度を前記第一の設定温度から第二の設定温度へ変化させるのに必要な時間分遡った時刻に、庫内の温度を第二の設定温度に変更する制御命令を送信するようにしてもよい。これにより、より社会のニーズに適応した予冷運転を行うことができる。制御装置２が冷蔵庫１に内蔵される場合、帰宅時刻推定部が本発明の帰宅時刻推定手段である。
【符号の説明】
【００７５】
１  冷蔵庫、２  制御装置、３  オートロック装置、４  ルータ、５  ネットワーク、６  ＰＯＳ端末、７  情報サーバ、８  情報端末、１１  入力部、１２  記憶部、１３  設定温度情報送信部、１４  制御命令受信部、１５  開閉検知部、１６  冷却部、２１  設定温度情報受信部、２２  記憶部、２３  予冷要求受信部、２４  制御命令生成部、２５  解錠情報受信部、２６  制御命令送信部、２７  位置情報受信部、２８  位置判定部、２９  開始通知送信部、３１  ＩＤ情報取得部、３２  施解錠部、３３  記憶部、３４  解錠情報送信部、６１  ＩＤ情報取得部、６２  ＩＤ情報送信部、６３  アドレス情報受信部、６４  購入品情報取得部、６５  購入品情報送信部、６６  温度情報受信部、６７  予冷要求生成部、６８  予冷要求送信部、７１  ＩＤ情報受信部、７２  アドレス情報送信部、７３  記憶部、７４  購入品情報受信部、７５  温度情報送信部、８１  記憶部、８２  ＩＤ情報送信部、８３  アドレス情報受信部、８４  購入品情報取得部、８５  購入品情報送信部、８６  温度情報受信部、８７  位置情報生成部、８８  位置情報送信部、８９  開始通知受信部、９０  位置検出部、１００,２００  冷蔵庫制御システム、１０１  プロセッサ、１０２  メモリ、１０３  インターフェース。
【図１】
0006584178.tif 000002
【図２】
0006584178.tif 000003
【図３】
0006584178.tif 000004
【図４】
0006584178.tif 000005
【図５】
0006584178.tif 000006
【図６】
0006584178.tif 000007
【図７】
0006584178.tif 000008
【図８】
0006584178.tif 000009
【図９】
0006584178.tif 000010
【図１０】
0006584178.tif 000011
【図１１】
0006584178.tif 000012
【図１２】
0006584178.tif 000013
【図１３】
0006584178.tif 000014
【図１４】
0006584178.tif 000015